(57)【要約】【課題】太陽光に対する高い熱反射効率を有する反射幕を形成したり、室内の闇を造成する暗幕を形成することができ、装飾美感も選択的に有することができるスクリーンロール型カーテン地を提供する【解決手段】日射遮蔽部を、綾織や繻子織組織を用いた製織によって、互いに異なる機能の２層からなる両面織地とし、一方の織地面によりカーテンの日射遮蔽機能を担当し、他方の織地面により太陽光などに対して光と熱の高い反射率を有して室内温度の低下が可能な熱反射鏡面を形成するか、又は濃い暗闇を作り出すことがが可能な暗幕を形成する。日射遮蔽と投光の調節のみならず、７０％以上の熱反射効率を有する反射幕の太陽光反射鏡としての役割を果たすので、別途の冷房器がなくても室内温度を２〜６℃も下げることができる。また、暗幕の流入光遮断により、別途の暗幕がなしにも室内を非常に暗い環境に演出できる。【選択図】図２
2015137484.tif 000002
【特許請求の範囲】
【請求項１】
全体が日射遮蔽部（１２）からなるスクリーンロールシート（２）、及び、日射遮蔽部（１２）とメッシュ部（１０）とが交互に配列されるスクリーンロールシート（４）のいずれかで構成し、前記日射遮蔽部（１２）は、綾織や繻子織の組織によって両面織地（１２ａ）（１２ｂ）を形成し、日射遮蔽両面織地（１２ａ）（１２ｂ）の一方の面は、緯糸に投入された日射遮蔽用不透明糸（２０）が露出して一層を形成し、日射遮蔽部の両面織地（１２ａ）（１２ｂ）の裏面は、緯糸に投入されたメタリック糸（２２）が露出して他の一層を形成することによって、室内温度の低下が可能な熱反射鏡面を提供するように構成することを特徴とする機能性の日射遮蔽両面織地を有するカーテン地。
【請求項２】
前記日射遮蔽部（１２）の経糸（３０）、日射遮蔽部（１２）の緯糸であるメタリック糸（２２）及び不透明糸（２０）は、相互の太さの関係が、経糸（３０）＜メタリック糸（２２）＜不透明糸（２０）となることを特徴とする、請求項１に記載の機能性の日射遮蔽両面織地を有するカーテン地。
【請求項３】
両面織地（１２ａ）（１２ｂ）からなり、熱反射鏡面を有する日射遮蔽部（１２）の厚みは、前記他の一層のみで形成された場合の厚さの１．２倍〜１．５倍であることを特徴とする、請求項１又は２に記載の機能性の日射遮蔽両面織地を有するカーテン地。
【請求項４】
全体が日射遮蔽部（１２）からなるスクリーンロールシート（２）、及び、日射遮蔽部（１２）とメッシュ部（１０）とが交互に配列されるスクリーンロールシート（４）のいずれかで構成し、前記日射遮蔽部（１２）は、綾織や繻子織組織によって両面織地（１２ａ）（１２ｂ）を形成し、日射遮蔽両面織地（１２ａ）（１２ｂ）の一方の面は、緯糸に投入された日射遮蔽用不透明糸（２０）が露出して一層を形成し、日射遮蔽両面織地（１２ａ）（１２ｂ）の裏面は、緯糸に投入された黒色糸（２３）が露出して他の一層を形成することによって、室内に闇の造成が可能な暗幕を提供するように構成することを特徴とする機能性日射遮蔽両面織地を有するカーテン地。
【請求項５】
前記日射遮蔽部（１２）の経糸（３０）、日射遮蔽部（１２）の緯糸である黒色糸（２３）及び不透明糸（２２）は、相互の太さの関係が、経糸（３０）＜黒色糸（２３）≦不透明糸（２０）となることを特徴とする、請求項４に記載の機能性日射遮蔽両面織地を有するカーテン地。
【請求項６】
両面織地（１２ａ）（１２ｂ）からなり、暗幕を有する日射遮蔽部（１２）の厚みは、前記他の一層のみで形成された場合の厚さの１．４倍〜２倍であることを特徴とする、請求項４又は５に記載の機能性日射遮蔽両面織地を有するカーテン地。
【発明の詳細な説明】
【技術分野】
【０００１】
本発明は、窓の遮蔽装置に関する。特には、太陽光に対する高い光反射及び熱反射効率を有する反射幕や暗幕を形成することができ、装飾美感も有するカーテン地の原反に関する。
【背景技術】
【０００２】
通常、窓の遮蔽装置は、私生活の保護や光量の遮断及び調節と共に、室内インテリアのために使用される。その種類は、カーテン、バーチカルブラインド、ブラインド（横型ブラインド）、ローマンシェード、ウィンドーティンティング（自動車の窓ガラスなどの色づけ）、ロールスクリーンなどと多様である。消費者は、使用用途と窓の構造及び各自の趣向を考慮した上で、自身が望む各製品を購入して設置・使用する。
【０００３】
これらのうち、ロールスクリーンは、カーテンの役割をするスクリーン生地をロール状に巻き上げたり下げたりすることによって、そのスクリーン生地の高低を調節する、窓の日差し遮断（日射遮蔽）装置である。このようなロールスクリーンは、スクリーン生地を垂直方向に調節しながら日射遮蔽の程度を調節するので、完全な日射遮蔽のためには、スクリーン生地を窓の下端部まで下げなければならなく、スクリーン生地による日射遮蔽を完全に解除するためには、スクリーン生地を窓の上端部まで巻き上げなければならない。そして、部分的な日射遮蔽を望む場合は、スクリーン生地を所望の任意の位置まで巻き上げるとよい。
【０００４】
前記の一例のようなロールスクリーンのカーテン地は、価格が低廉であり、用途に合わせて広く使用されている。このことに加えて、多様な形態や美感を有することができ、また、新しい機能が付加された改善されたカーテン地形態が開発されるならば、多くの消費者から呼応を得られるだろう。
【発明の概要】
【発明が解決しようとする課題】
【０００５】
したがって、本発明の目的は、太陽光に対する高い熱反射効率を有する反射幕を形成したり、室内の闇を造成する暗幕を形成することができ、装飾美感も選択的に有することができるカーテン地を提供することにある。
【課題を解決するための手段】
【０００６】
前記の目的にのっとった本発明のカーテン地は、全体が日射遮蔽部１２からなるスクリーンロールシート２、及び、日射遮蔽部１２とメッシュ部１０とが交互に配列されるスクリーンロールシート４のうちのいずれかで構成し、前記日射遮蔽部１２は、綾織や繻子織の組織によって両面織地１２ａ、１２ｂを形成し、日射遮蔽両面織地１２ａ、１２ｂの一側面は、緯糸に投入された日射遮蔽用不透明糸２０が露出して一層を形成し、日射遮蔽両面織地１２ａ、１２ｂの裏面は、緯糸に投入されたメタリック糸２２が露出して他の一層を形成することによって、熱反射鏡面を提供するように構成することを特徴とする機能性日射の遮蔽両面織地を有するカーテン地の原反である。
【０００７】
ここで、前記の日射遮蔽部１２の経糸３０、及び、日射遮蔽部１２の緯糸であるメタリック糸２２及び不透明糸２０の相互の太さの関係は、「経糸３０＜メタリック糸２２＜不透明糸２０」となることを特徴とする。
【０００８】
本発明の他の見地によるカーテン地の原反においては、全体が日射遮蔽部１２となったスクリーンロールシート２、及び、日射遮蔽部１２とメッシュ部１０とが交互に配列されるスクリーンロールシート４のいずれかで構成し、前記日射遮蔽部１２は、綾織や繻子織組織によって両面織地１２ａ、１２ｂを形成し、日射遮蔽両面織地１２ａ、１２ｂの一方の面は、緯糸に投入された日射遮蔽用不透明糸２０が露出して一層を形成し、日射遮蔽両面織地１２ａ、１２ｂの裏面は、緯糸に投入された黒色糸２３が露出して他の一層を形成することによって、暗幕を提供するように構成することを特徴とする日射遮蔽両面織地を有するカーテン地の原反である。
【０００９】
ここで、前記日射遮蔽部１２の経糸３０、日射遮蔽部１２の緯糸である黒色糸２３及び不透明糸２２の太さ関係は、「経糸３０＜黒色糸２３≦不透明糸２０」となることを特徴とする。
【００１０】
本発明の一実施例によると、熱反射鏡面を有する両面織地１２ａ、１２ｂからなる日射遮蔽部１２である場合、日射遮蔽部１２は、一層で形成された一般の日射遮蔽部の厚さの１．２倍〜１．５倍の厚さで形成されることを特徴とする。
【００１１】
本発明の他の実施例によると、暗幕を有する両面織地１２ａ、１２ｂからなる日射遮蔽部１２である場合、日射遮蔽部１２は、一層で形成された一般の日射遮蔽部の厚さの１．４倍〜２倍の厚さで形成されることを特徴とする。
【発明の効果】
【００１２】
本発明は、一体製織型のカーテン地を構成するにあたり、日射遮蔽部を互いに異なる機能を有する両面織地で形成し、一方の織地面を通じてカーテンの日射遮蔽機能を担当し、他方の織地面を通じて太陽光などに対して高い反射率を有する反射幕又は暗幕を形成する。その結果、カーテン地は、日射遮蔽と投光の調節はもちろんのこと、反射幕の太陽光反射鏡としての役割により、夏季に別途の冷房器がなくても室内温度を２℃〜６℃も下げることができる。また、暗幕の流入光遮断役割により、別途の暗幕が設置されなくても室内を非常に暗い環境に演出することができる。
【図面の簡単な説明】
【００１３】
【図１】本発明の実施例による、機能性の日射遮蔽両面織地を有するカーテン地の一例を示す斜視図である。
【図２】カーテン地の日射遮蔽両面織地の状態を説明するための要部拡大斜視図である。
【図３】本発明のカーテン地の縦方向の側断面図である。
【図４】本発明の実施例に係るカーテン地の日射遮蔽部を構成するワン・リピート(one repeat）織組織図である。
【図５】図４の織組織図による日射遮蔽部の織組織を容易に理解できるように表現した組織斜視図である。
【図６】本発明の実施例による、両面織地を有する日射遮蔽部の前面及び背面の拡大構成図である。
【図７】本発明の実施例に係る日射遮蔽両面織地を有するカーテン地を採用したロールスクリーンカーテン装置の例示図（１）である。
【図８】本発明の実施例に係る日射遮蔽両面織地を有するカーテン地を採用したロールスクリーンカーテン装置の例示図（２）である。
【図９】本発明によって製作されたカーテン地から熱反射鏡面を有する日射遮蔽部のみを切り取り、前面のカーテン日射遮蔽部と背面の熱反射鏡面を共に示した写真図である。
【図１０】日射遮蔽部の背面の熱反射鏡面を撮影した写真図である。
【発明を実施するための形態】
【００１４】
以下では、本発明の望ましい各実施例を添付の図面を参照して詳細に説明する。
【００１５】
本発明の実施例に係るカーテン地は、スクリーンロールシート２、４であって、レピア織機で製織可能である。
【００１６】
図１の（ａ）に示した本発明のスクリーンロールシート２は、全体が日射遮蔽部１２で構成されたロールシートの形態であって、図１の（ｂ）に示した本発明のスクリーンロールシート４は、日射遮蔽部１２とメッシュ部１０とが交互に配列されるロールシートの形態である。
【００１７】
日射遮蔽部１２とメッシュ部１０とが交互に配列されるスクリーンロールシート４は、日射遮蔽部１２を構成するにあたり、その前面部には、立体装飾美感を形成するためにポケット形態のひだ折り部１６を一体製織によって形成することもできる。
【００１８】
本発明の要旨をなす構成は、スクリーンロールシート２、４の日射遮蔽部１２を形成するにあたり、日射遮蔽部１２の一側面に太陽光などに対する高い反射率（光及び／又は熱）を有する反射幕を形成するか、又は暗闇を作り出す暗幕を形成するということである。
【００１９】
すなわち、スクリーンロールシート２、４の日射遮蔽部１２を製織するにあたり、綾織や繻子織の組織によって、図２の（ａ）及び（ｂ）に示すように、日射遮蔽部１２に両面織地１２ａ、１２ｂを形成し、そのうち一方の織地は、高い反射効率で光及び熱を反射する熱反射鏡面を提供したり、又は暗闇を作り出す暗幕面を提供する。図２の一例では、背面である他側面１２ｂが反射鏡面や暗幕面になる。
【００２０】
本発明において、綾織や繻子織組織によって日射遮蔽部１２が両面織地１２ａ、１２ｂで形成されるということは、メッシュ部１０が平織組織によって形成される組織と、区別される。
【００２１】
日射遮蔽部１２内にポケット形態のひだ折り部１６が一体製織によって形成される場合、ひだ折り部１６の領域は、図３の（ｂ）に示すように、他側面のシート１２ｂの製織のない一層製織によって形成される。また、ひだ折り部１６の領域は、綾織や繻子織の組織によって形成せず、平織の一層の組織によって形成するように構成することで、ひだ折り部を容易に形成できるようにする。
【００２２】
本発明で使用するカーテン地の経糸は、熱反射鏡面や暗幕面の造成に有利になるように透明のポリエステル糸であることが望ましく、日射遮蔽部用緯糸としては、カーテン日射遮蔽用緯糸とメタリック糸が用いられたり、又はカーテン日射遮蔽用緯糸と黒色糸が用いられる。カーテン地において、図２及び図３の（ｂ）に示すように、スクリーンロール地４にメッシュ部１０が存在するなら、メッシュ部用の緯糸も用いられる。
【００２３】
図４は、本発明の実施例に係るカーテン地を構成するスクリーンロールシート２の日射遮蔽部１２のワン・リピート織組織図であり、図５は、図４の織組織図による日射遮蔽部１２の組織を容易に理解できるように表現した組織斜視図である。
【００２４】
そして、図６は、本発明の実施例による、両面織地１２ａ、１２ｂを有する日射遮蔽部１２の前面及び背面の拡大構成図である。
【００２５】
本発明では、日射遮蔽部１２を一つの両面織地１２ａ、１２ｂで綾織や繻子織によって製織・形成するにあたり、図４に示した一例のように、不透明糸２０とメタリック糸２２との二つの種類の糸を機能性緯糸として使用して両面織地１２ａ、１２ｂを形成することができる。この場合は、第２の緯糸に投入された日射遮蔽用不透明糸２０は、一方の面に露出して一層を形成することによって日射遮蔽部の前面をなし、第１の緯糸に投入されたメタリック糸２２は、他方の面に露出して他の一層を形成することによって日射遮蔽部の背面をなすようになる。その結果、日射遮蔽部１２の背面には７０％以上の高い反射率を有する熱反射鏡面が形成される。
【００２６】
前記のメタリック糸２２は、糸の強度維持のために、メタルコーティングフィルム糸とポリエステル材質芯糸とが合糸された形態であることが望ましく、メタリック単糸の形態でもあり得る。
【００２７】
本発明の他の実施例において、日射遮蔽部１２を一つの両面織地１２ａ、１２ｂで綾織や繻子織によって製織・形成するにあたり、図４及び図５の括弧内に符号で表示したように、不透明糸２０と黒色糸２３との二つの種類の糸を機能性緯糸として使用して両面織地１２ａ、１２ｂを形成する。この場合、第２の緯糸に投入された日射遮蔽用の不透明糸２０は、一方の面に露出して一層を形成することによって日射遮蔽部の前面をなし、第１の緯糸に投入された黒色糸２３は、他方の面に露出して他の一層を形成することによって日射遮蔽部の背面をなすようになる。その結果、日射遮蔽部１２の背面には暗闇を作り出す暗幕面が形成される。
【００２８】
図４ないし図６に示した日射遮蔽部１２の構成は、綾織組織によって製織された望ましい例を示すものであって、綾織組織のうちでも、緯糸が経糸に比べて非常に多く露出した構造である。
【００２９】
また、本発明において、緯糸は、経糸に比べて相対的に太く形成される。本発明において、経糸３０の太さは２０デニールないし１５０デニールの範囲で、緯糸２０、２２の太さは７０デニールないし９００デニールの範囲であり、前記の範囲内にあって、緯糸２０、２２が経糸３０に比べて相対的に太く形成される。
【００３０】
本発明において、綾織や繻子織からなる組織点が平織に比べて疎らであり、緯糸が多く露出し、また、経糸３０の太さが緯糸に比べて非常に細いことから、日射遮蔽部１２に組み込まれた経糸は、図６に示すように、太い緯糸によってほとんどん隠れてしまう。また、本発明において、経糸はＬＭ糸などの透明糸であることが最も望ましく、これは、最小限に露出する経糸までもが反射幕や暗幕を隠さないという効果を付与する。
【００３１】
日射遮蔽部１２の両面織地１２ａ、１２ｂのうち一面に熱反射鏡面を形成するにおいて、緯糸を構成する二つの種類のうち不透明糸２０とメタリック糸２２の太さを比較すると、不透明糸２０がメタリック糸２２に比べて相対的に太い。
【００３２】
望ましくは、不透明糸２０の太さは１５０デニールないし９００デニールの範囲で、メタリック糸２２の太さは７０デニールないし３００デニールの範囲であって、前記の範囲内では、不透明糸２０が相対的に太い。メタリック糸２２が不透明糸２０と同じ太さになるか、それより太くなると、不透明糸２０からなる日射遮蔽部の前面部にメタリック糸２２が露出し得るという点で、太さの関係に意義がある。
【００３３】
すなわち、本発明に係る二つの種類の緯糸２０、２２及び経糸３０の太さの関係は、「経糸３０＜メタリック糸２２＜不透明糸２０」と整理される。
【００３４】
その一方、日射遮蔽部１２の両面織地１２ａ、１２ｂのうち一面に暗幕を形成することによって、緯糸を構成する二種類のうち不透明糸２０と黒色糸２３の太さを比較すると、不透明糸２０が黒色糸２３に比べて相対的に太いか、それと同じである。
【００３５】
望ましくは、不透明糸２０の太さは１５０デニールないし９００デニールの範囲で、黒色糸２３の太さは１４０デニールないし７００デニールの範囲であって、前記の範囲内では、不透明糸２０が黒色糸２３と同じ太さになるか、それより相対的に太く形成される。黒色糸２３が不透明糸２０より太くなると、不透明糸２０からなる日射遮蔽部の前面部の日射遮蔽模様やカラーが変わったように見える点で、太さの関係に意義がある。
【００３６】
すなわち、本発明に係る二つの種類の緯糸２０、２３及び経糸３０の太さ関係は、「経糸３０＜黒色糸２３≦不透明糸２０」と整理される。
【００３７】
本発明において、日射遮蔽部１２の両面織地１２ａ、１２ｂ形成に使用された緯糸とメッシュ部１０に使用された緯糸との間の割合は２：１である。
【００３８】
図４及び図５を参照して、日射遮蔽部１２の製織構成について、より具体的に説明すると、日射遮蔽部１２の緯糸のうちメタリック糸２２と不透明糸２０が１：１で使用され、日射遮蔽部１２の両面織地１２ａ、１２ｂを製織するようになる。すなわち、緯糸は、日射遮蔽部用緯糸のペア（Ｗ１、Ｗ２）、（Ｗ３、Ｗ４）、（Ｗ５、Ｗ６）、（Ｗ７、Ｗ８）として使用し、Ｗ１、Ｗ３、Ｗ５、Ｗ７はメタリック糸２２又は黒色糸２３となり、Ｗ２、Ｗ４、Ｗ６、Ｗ８は不透明糸２０となることによって、経糸３０と綾織や繻子織の組織によって製織される。
【００３９】
図４の日射遮蔽部１２の織組織図において、Ｐ１、Ｐ２、Ｐ３、Ｐ４は、経糸として日射遮蔽部形成のための経糸群（４個）で、Ｗ１、Ｗ２、Ｗ３、…、Ｗ８は緯糸であって、"Ｘ"表示は、経糸開口時に経糸がアップされた状態を示す。
【００４０】
図４の組織によって製織された図５の構成を見ると、メタリック糸２２である緯糸Ｗ１、Ｗ３、Ｗ５、Ｗ７は、主に経糸Ｐｉ（ｉ=１〜４）の下側に多く浮かんで見える組織（綾織又は繻子織）によって形成されると同時に、不透明糸２０である緯糸Ｗ２、Ｗ４、Ｗ６、Ｗ８は、主に経糸Ｐｉの上側に多く浮かんで見える組織（綾織又は繻子織）によって形成されることによって、二つの層が両面織地１２ａ、１２ｂで形成された日射遮蔽部１２が製織される。
【００４１】
二つの層が両面織地１２ａ、１２ｂからなる日射遮蔽部１２は、メタリック糸２２による光反射幕として提供される場合、一層で形成された一般の日射遮蔽部の厚さの１．２倍ないし１．５倍の厚さになり、二つ層が両面織地１２ａ、１２ｂからなる日射遮蔽部１２は、黒色糸２３による暗幕として提供される場合は、一層で形成された一般の日射遮蔽部の厚さの１．４倍ないし２倍の厚さになる。
【００４２】
図６において、（ａ）は、両面織地１２ａ、１２ｂを有する日射遮蔽部１２の前面部で、（ｂ）は、両面織地１２ａ、１２ｂを有する日射遮蔽部１２の背面部である。
【００４３】
日射遮蔽部１２の前面部においては、図６の（ａ）に示すように、メタリック糸２２が全て後ろに隠され、日射遮蔽部用不透明糸２０のＷ２、Ｗ４、Ｗ６、Ｗ８（緯糸）のみが露出することによって一般のカーテンの日射遮蔽機能を提供し、日射遮蔽部１２の背面部においては、図６の（ｂ）に示すように、不透明糸２０をベース面にしてメタリック糸２２のＷ１、Ｗ３、Ｗ５、Ｗ７（緯糸）が全て均一に露出することによって、７０％以上の高い反射率を有する光と熱の反射鏡面を提供するようになる。
【００４４】
同様に、メタリック糸２２の代わりに黒色糸２３を適用すると、日射遮蔽部１２の前面部においては、図６の（ａ）に示すように、黒色糸２３は全て後ろに隠され、日射遮蔽部用不透明糸２０のＷ２、Ｗ４、Ｗ６、Ｗ８（緯糸）のみが露出することによって、一般のカーテンの日射遮蔽機能を提供し、日射遮蔽部１２の背面部においては、図６の（ｂ）に示すように、不透明糸２０をベース面にして黒色糸２３のＷ１、Ｗ３、Ｗ５、Ｗ７（緯糸）が全て露出することによって闇を造成する暗幕を提供することが分かる。
【００４５】
図９は、本発明によって製作されたカーテン地において熱反射鏡面を有する日射遮蔽部のみを切り取り、前面の日射遮蔽部と熱反射鏡面を共に示す写真で、図１０は、日射遮蔽部の背面の熱反射鏡面を撮影した写真である。
【００４６】
図７及び図８は、本発明の実施例に係る機能性日射遮蔽両面織地を有するカーテン地を採用したロールスクリーンカーテン装置の例示図である。図７では、全体が日射遮蔽部１２で構成されたスクリーンロールシート２を用いたロールスクリーンカーテン装置Ａ１を示しており、図８では、日射遮蔽部１２とメッシュ部１０とが交互に配列されるスクリーンロール地４を用いたロールスクリーンカーテン装置Ａ２を示している。
【００４７】
図８のようなロールスクリーンカーテン装置Ａ２は、上端のロール軸棒と下端の重り棒を用いて前後のスクリーンロール地４が重畳されるように構成されるので、前後のメッシュ部１０と日射遮蔽部１２とが交互に作動すると、全体の日射遮蔽形態を具現することができ、前後のメッシュ部１０と日射遮蔽部１２を並んだ位置に置くと、部分投光を具現することができる。
【００４８】
本発明によって製織された日射遮蔽部１２の背面の熱反射鏡面は、反射度が７０％以上と相当高いので、ロールスクリーンカーテン装置Ａ１、Ａ２を窓に設置し、日射遮蔽部１２を用いて日射遮蔽をすると、太陽光に対する光と熱を反射する鏡としての役割をするため、別途の冷房器がなくても室内温度を２℃ないし６℃に下げることができる。
【００４９】
また、本発明によって製織された日射遮蔽部１２の背面の暗幕は、光遮断率が相当高いので、流入光を遮断する役割をするため、別途の暗幕が設置されなくても室内を非常に暗い環境に演出することができる。
【００５０】
上述した本発明の説明では、具体的な実施例に関して説明したが、多様な変形が本発明の範囲から逸脱せずに実施可能である。したがって、本発明の範囲は、上述した実施例によって定めるものではなく、特許請求の範囲及びその特許請求の範囲と均等なものによって定めなければならない。
【符号の説明】
【００５１】
２、４…スクリーンロールシート；  １０…メッシュ部；  １２…日射遮蔽部；  
１２ａ、１２ｂ…両面織地；        １６…ひだ折り部；  ２０…不透明糸；  
２２…メタリック糸；              ２３…黒色糸；      ３０…経糸；  
Ａ１、Ａ２…ロールスクリーンカーテン装置
【図１】
2015137484.tif 000003
【図２】
2015137484.tif 000004
【図３】
2015137484.tif 000005
【図４】
2015137484.tif 000006
【図５】
2015137484.tif 000007
【図６】
2015137484.tif 000008
【図７】
2015137484.tif 000009
【図８】
2015137484.tif 000010
【図９】
2015137484.tif 000011
【図１０】
2015137484.tif 000012